(57)【要約】  医療用真空吸引装置（１００）は、以下を含んで開示される。バルブ（１４０）により第１の端部で閉じ、シリンダ（１１０）に沿って移動可能なプランジャ（１２０）により第２の端部で閉じられるバキュームシリンダ（１１０）を含み、前記バルブ（１４０）は、柔軟なノズル（１３０）及び解放可能なノズルクランプ（１４２）から形成され、ノズル（１３０）は、シリンダ（１１０）により形成された真空槽との流体連結での開口部（１３６）を更に備え、前記開口部（１３６）は、使用時に異なるサイズのカニューレ（１０）を受け入れるためのサイズで直径における段差を有する又は寸法が先細であることを特徴とする。プランジャハンドル（１２４）のねじりを要求するプランジャロック機構がさらに開示される。【選択図】  図１
2013506514.tif 000002
【特許請求の範囲】
【請求項１】
バルブにより第１の端部で実質的に閉じられ又は閉鎖可能であり、シリンダに沿って移動可能なプランジャにより第２の端部で閉じられるバキュームシリンダを含み、
前記バルブは、柔軟なノズル及び解放可能なノズルクランプから形成され、
前記ノズルは、前記シリンダとの流体連結での開口部を更に備え、
前記開口部は、使用時に異なるサイズのカニューレを受け入れるために、段差を有する直径又は先細の寸法を有すること
を特徴とする医療用真空吸引装置。
【請求項２】
前記開口部は、最大の直径又はサイズが前記ノズルの外側端部に最も近いような段差又はテーパー状をなすことを特徴とする請求項１記載の装置。
【請求項３】
前記ノズルの外側端部は、縮小された直径というアイデアを含むことを特徴とする請求項２記載の装置。
【請求項４】
前記縮小された直径部分は、その内部面で円形の構造を備えることを特徴とする請求項３記載の装置。
【請求項５】
前記構造は、前記開口部に適合されるカニューレと接触し安定させるために、その内部端で「Ｏ」リングに類似することを特徴とする請求項４記載の装置。
【請求項６】
前記ノズルは、前記段差又はテーパー状をなす開口部に隣接する位置で概ね一定直径の外側領域を有することを特徴とする請求項１乃至５のいずれか１項に記載の装置。
【請求項７】
バルブにより第１の端部で実質的に閉じられ又は閉鎖可能であり、シリンダの軸に沿って移動可能なプランジャにより第２の端部で閉じられるバキュームシリンダを含み、
前記プランジャは、軸部を備え、ロック機構により第２の端部に隣接して位置する場合に前記バルブに向かう移動に対抗して抑制可能であり、
前記ロック機構は、前記第２の端部で縮小されたシリンダサイズの領域と、前記プランジャが第２の端部に隣接位置する場合、前記プランジャ及び前記軸部が前記軸まわりに回転することにより係合をもたらす制限領域で係合可能である、前記プランジャの前記軸部の一部と、を含むこと
を特徴とする医療用真空吸引装置。
【請求項８】
前記縮小されたシリンダサイズは、スロットを備えたシリンダ端側キャップにより形成され、前記軸部は、前記プランジャに隣接する狭くされた部分、及び少なくとも前記狭くされた部分のすぐ隣に位置される拡大された部分を含み、前記軸まわりの前記回転は、狭くされた部分がスロット内で回転することを許可し、前記拡大された部分がスロットで正しく整列されなくなることを許可し、前記プランジャの内側への移動は、前記拡大された部分と前記キャップとの係合を引き起こすことを特徴とする請求項７記載の装置。
【請求項９】
前記キャップは、前記シリンダ内に伸びることを特徴とする請求項８記載の装置。
【請求項１０】
前記スロットは、前記軸部と前記キャップとの間の相対運動の一般的な方向に交わる移動によって、前記スロットから前記軸部が取り除かれることを許可するために１方側で開いていることを特徴とする請求項８又は９記載の装置。
【請求項１１】
前記軸部は、前記狭くされた部分で概ね円形の断面を備え、前記拡大された部分で、前記円形の断面及び円形の断面から伸びる一対のウイングを有することを特徴とする請求項７乃至１０のいずれか１項に記載の装置。
【請求項１２】
請求項１乃至６のいずれか１項の特徴を有する請求項７乃至１１のいずれか１項に記載の装置。
【請求項１３】
前記プランジャの前記軸部の端部で、成型された第１のプラスチック材料及び外部成型され前記第１の材料より軟性である第２のプラスチック材料から形成された閉ループのハンドルをさらに含むことを特徴とする請求項１乃至１２のいずれか１項に記載の装置。
【請求項１４】
前記第２のプラスチック材料は、前記閉ループの内部面の周囲の全体で、及び好ましくは少なくとも外部面の周囲の大部分で配置されることを特徴とする請求項１３記載の装置。
【請求項１５】
前記装置は、個別部品に分解することができ、前記部品は、再組み立ての際に前記部品の相対的な配向を示すためのしるしを含むことを特徴とする請求項１乃至１４のいずれか１項に記載の装置。
【請求項１６】
図面を参照してここに随意に記載されるような実体のある医療用真空吸引装置。
【発明の詳細な説明】
【技術分野】
【０００１】
この発明は、医療用真空吸引型装置に関し、排他的ではないが特には、妊娠中絶または子宮内膜生体検査のような目的のために、子宮吸引または排出における使用のため手動で操作できるような装置に関する。
【背景技術】
【０００２】
上に述べられたタイプの医療器具は、出願番号がＷＯ２００５／０５６０８０の特許出願（バートンら）に詳細に開示される。この文書では、シリンダの一端側から操作可能な手動で駆動されるプランジャによって、シリンダ中に真空が生成される。かかるシリンダの他端側では、必要時に急速に真空を解放してシリンダ内に吸引の効果を得るために、急速解放バルブが備えられる。本出願において、「真空」の用語は、密閉容器内におけるガス又は流体の欠如、部分的な欠如、瞬間的な欠如あるいは瞬間的な部分的な欠如を説明するのに使用されるとともに、環境気圧以下にある気圧について記述するために使用される。
【発明の概要】
【発明が解決しようとする課題】
【０００３】
上に言及されたバートン文書に記述された装置の種々の側面は、発明者によって改善されており、そしてこの出願の主題である。
【０００４】
手動で操作可能な真空吸引装置の使用は、世界的であり、したがって、単純で手頃な装置が必要とされる。製造、消毒及び殺菌するのに複雑になる装置は、貧しい国々では採用される可能性が低く、かかる地域では低価格及び容易なメンテナンスが重要なポイントとなる。そのような装置が広く使用される場合、容易に清潔又は殺菌され、その後、容易に再組み立てすることができる、容易に分解されるアセンブリが必要である。
【０００５】
別の重要な側面は、使いやすさである。より貧しい国々では、患者に治療を行なうそれほど経験を積んでいない医療従事者の可能性は高く、そして貧弱な労働条件の可能性もまた高い。したがって、操作するのが簡単で、使用するのに安全な装置は非常に重要である。
【０００６】
バートン文書では、バルブは、入口ノズルを形成する可撓管を閉じることにより形成される。かかる入口ノズルは、カニューレの１つのサイズだけが挿入されることを可能にする一定の内径の穴部を備えている。それが入口ノズル及び閉鎖可能なバルブ構成要素の役割をしなければならないので、ノズルの設計自由度は制限される。
【課題を解決するための手段】
【０００７】
第１の側面によれば、本発明は、以下を含む医療用真空吸引装置を提供する：
バルブにより第１の端部で実質的に閉じられ又は閉鎖可能であり、シリンダに沿って移動可能なプランジャにより第２の端部で閉じられるバキュームシリンダを含み、
前記バルブは、柔軟なノズル及び解放可能なノズルクランプから形成され、前記ノズルは、チャンバーとの流体連結での開口部を更に備え、前記開口部は、使用時に異なるサイズのカニューレを受け入れるために、段差を有する直径又は先細の寸法を有することを特徴とする。
【０００８】
改良版では、開口部は、その最大の直径又はサイズがノズルの外側端部に最も近いような段差又はテーパー状をなす。
【０００９】
実施の形態では、ノズルの外側端部は、縮小された直径というアイデアを含んでいる。
【００１０】
したがって、実施の形態では、縮小された直径部分は、その内部面で円形の構造を備える。前記構造は、好ましくは、開口部に適合されるカニューレと接触し安定させるために、その内部端で「Ｏ」リングに類似する。
【００１１】
実施の形態では、ノズルは、段差又はテーパー状をなす開口部に隣接する位置で概ね一定直径の外側領域を有する。
【００１２】
さらに、バートン文書では、プランジャは、バルブから離れる方向でシリンダに沿って引き出される。プランジャは、真空によって吸収されシリンダ内に戻るのを防ぐために、ロック機構により、そのシリンダストロークの端部に保持される必要がある。かかるロック機構はプランジャ上の弾力のある脚部を使用し、それらは、シリンダ内で一緒にされ、シリンダから引き出された後に制限がない場合には分けられる。この施錠装置は、脚部がそれらのロックする位置を見つけない場合、及びそれらがさらなる吸引ステップのためにシリンダ内に戻って崩壊する必要がある場合、作動するために時々２つの手を必要とする。
【００１３】
他の側面によれば、本発明は以下を含む医療用真空吸引装置を提供する：
バルブにより第１の端部で実質的に閉じられ又は閉鎖可能であり、シリンダの軸に沿って移動可能なプランジャにより第２の端部で閉じられるバキュームシリンダを有し、
前記プランジャは、軸部を備え、ロック機構により第２の端部に隣接して位置する場合に前記バルブに向かう移動に対抗して抑制可能であり、前記ロック機構は、前記第２の端部で縮小されたシリンダサイズの領域と、前記プランジャが第２の端部に隣接位置する場合、前記プランジャ及び前記軸部が前記軸まわりに回転することにより係合をもたらす制限領域で係合可能である、前記プランジャの前記軸部の一部と、を含む。
【００１４】
実施の形態では、前記縮小されたシリンダサイズは、スロットを備えたシリンダ端側キャップにより形成され、前記軸部は、前記プランジャに隣接する狭くされた部分、及び少なくとも前記狭くされた部分のすぐ隣に位置される拡大された部分を含み、前記軸まわりの前記回転は、狭くされた部分がスロット内で回転することを許可し、前記拡大された部分がスロットで正しく整列されなくなることを許可し、前記プランジャの内側への移動は、前記拡大された部分と前記キャップとの係合を引き起こす。
【００１５】
実施の形態では、前記キャップは、前記シリンダ内に伸びる。
【００１６】
改良版では、前記スロットは、前記軸部と前記キャップとの間の相対運動の一般的な方向に交わる移動によって前記スロットから前記軸部が取り除かれることを許可するために１方側で開いている。
【００１７】
実施の形態では、前記軸部は、その狭くされた部分で概ね円形の断面を備え、前記拡大された部分で、前記円形の断面及び円形の断面から伸びる一対のウイングを含む。
【００１８】
本発明は、上に述べた側面の任意の組合せ及び／又はそれらの好ましい補助的な特徴にまで及ぶ。
【００１９】
上記各側面による医療用真空吸引装置は、前記プランジャの前記軸部の端部で、成型された第１のプラスチック材料及び外部成型され前記第１の材料より軟性である第２のプラスチック材料から形成された閉ループのハンドルを含むことができる。
【００２０】
改良版では、第２のプラスチック材料は、前記閉ループの内部面の周囲の全体で、及び好ましくは少なくとも外部面の周囲の大部分で配置される。
【００２１】
実施の形態では、本装置は、個別部品に分解することができ、当該部品は、再組み立ての際にこれら部品の相対的な配向を示すためのしるしを含む。
【図面の簡単な説明】
【００２２】
以下に、図面を参照した例示によって１つの実施の形態のみが説明されるが、本発明は多数の方法で実施することができる：
【図１】医療用真空吸引装置の絵画図である。
【図２】図１に示される装置の部分断面図である。
【図３】図１及び図２に示される装置用として適切なノズル部分を示す。
【発明を実施するための形態】
【００２３】
図１を参照すると、例えば、人間または動物の中絶、子宮内膜生体検査、及びカニューレ１０が子宮内在中物の吸引に用いられるような技術のための、子宮吸引または排出に適切な医療用真空吸引装置１００が示される。
【００２４】
本装置１００は、バキュームシリンダ１１０及び、かかるシリンダ１１０内を移動可能であって、プランジャ軸１２２及びプランジャハンドル１２４を含むプランジャ１２０（この図中では部分的に示す）を備える。かかるプランジャは、後端キャップ１５０内で滑動し得る。
【００２５】
装置１００は、カニューレ１０に適合されるノズル１３０をさらに含む。かかるノズルは、可撓性材料から製造され、以下に詳細に説明されるチューブを形成される。ノズルは、以下に再度より詳細に説明されるノズルクランプ１４０によって実質的に囲まれる。手術において、使用者は、ノズルの圧搾により、シリンダ１１０の第１の終端でノズル１３０が閉じて密封されるように、クランプ構成部１４０を閉じる。その後、使用者は、一方の手でバキュームシリンダ１１０を握り、ハンドル１２４を引く。この動作は、シリンダ内にプランジャを引き戻す原因となるバキュームシリンダ１１０内の減圧を生む。これを防ぐために、プランジャは、以下に説明される機構によって適所にロックされる。カニューレ１０は、吸引が必要とされる領域に操作され、吸引力がカニューレ１０内に生成されるようにクランプ１４０が解放される。生成された真空は、カニューレ１０の端部での領域を十分に吸引する。
【００２６】
図２をさらに参照すると、この図は、装置１００の中心を通り、図１の表示におけるほぼ鉛直面で、図１中に示される装置１００の縦断面を示している。この図では、プランジャ１２０がより明瞭に示される。プランジャ１２０は、滑動密封（ｓｌｉｄｉｎｇ  ｓｅａｌ）を提供するために、Ｏリングシール１２８を備えたピストン１２６を含む。この図では、ピストン１２６は、バキュームシリンダ１１０に沿って完全に吸引された状態が示されている。使用時に、矢印Ｂの方向のプランジャの移動に先立って、ノズルクランプ１４０が使用される。２つの歯部１４２が、ノズルの反対側の柔軟なノズル１３０と噛み合うように押し込まれる。かかるノズル１３０（以下により詳細に説明される）は、密閉される位置に対向する歯部１４２によって、圧縮される。ノズルクランプ１４０は、装置１００の軸Ｘに沿って継ぎ目の無いノズル１３０を完全に囲むように形成された、単一のプラスチック成形品であるカラー１４６をさらに含む。
【００２７】
使用時に、歯部１４２は、矢印Ａの方向に押し込まれ、次に、矢印Ｂを避ける方向に進むよう強制される。歯部１４２は、それらが締める位置にある場合、矢印Ｂを避ける方向に押して、ノズル１３０を締める位置で歯部を保持するように、戻り止め１４４がカラー１４６の内部面と係合する。シリンダ１１０内に真空が生成された後に、領域１１２で、その真空は、１つあるいは両方の歯部１４２の解放によって、素早く崩壊することができる。
【００２８】
他方、装置１０の第２の終端では、領域１１２での真空を生成するために、ハンドル１２４を使用してプランジャ１２０が矢印Ｂの方向に引っ張られる。プランジャ１２０の軸部１２２は、その断面を拡大させる２つのウイング１２６を含む翼状（ｗｉｎｇｅｄ）部を含むことが注目される。端部キャップ１５０は、軸部がキャップの中で滑ることを可能にするスロット１５２を含む。
【００２９】
軸部１２２が図２で示される位置にある場合、軸部１２２の狭くなった部分１２１だけがスロット１５２内に保持される。この位置決めは、ウイング１２６がもはやスロット１５２と提携しないようにして、軸部１２２が軸Ｘの周りを回転することを可能にする。領域１１２内に生成された真空は、矢印Ｂとは反対の方向にプランジャ１２０を促す。それ故に、翼状部は、端部キャップ１５０の方へ戻るように強制されてキャップ内の凹部と係合し、プランジャがバキュームシリンダ１１０内に更に戻るように促されることを防止する。この配置は、真空がシリンダ１１０内に存在する間、プランジャ１２６がチャンバー１１０内に移動して戻ることを防ぐロック機構としての機能を果たす。
【００３０】
使用時に、一旦プランジャ１２０が所定位置にロックされると、装置は、適所へ操作することができ、クランプ１４０の締め付けを緩めることにより、吸引治療が実行されることができる。
【００３１】
図３は、ノズル１３０の拡大図を示す。ノズル１３０は、成形された柔軟なシリコン材料から製造され、バキュームシリンダ１１０の一端部を受け取るための開口部１３４、及び、使用時にランプ（lamp）１４０の構成要素が位置する所の周囲の外直径１３２を備える。かかる直径１３２は、製造の容易性のため及び洗浄の容易性のために一定である。使用時に、歯部１４２は、一定の直径部分１３２と係合するために、開口部１３４と隣接する場所に位置される。
【００３２】
ノズルは、この実施例では、３つの別個の内径１３１、１３３、及び１３５を有する開口部１３６を含む。これらの直径は、ｄの最初の内側の直径からＤの外側の直径まで増加し、Ｄ÷ｄが１．４から１．６の範囲であり、より好ましくはおよそ１．５である。この比率は、異なるサイズのカニューレを開口部１３６に挿入することができるので、広範囲の有用性を与える。
【００３３】
開口部１３６は、ノズルへの入口で縮小された直径部分１３８をさらに含む。かかる縮小された直径１３８の目的は、開口部１３６に挿入されたカニューレのための固定振れ止めとして機能することである。縮小された直径部分１３８は、カニューレの周りの良好な密封を形成し、さらに吸引効率を改善する円形の内部直径を有する。
【００３４】
本発明の１つの実施の形態のみが例示されたが、他方、本発明の範囲内で様々な変形、修正、改良が構想される。例えば、円筒状部品は、任意の管状の構造によって置き換えることができ、円筒状（ｃｌｉｎｄｒｉｃａｌ）などの単語は丸い断面に限定されるようには意図されない。プラスチック及びポリマーの構造が好適であるが、例えば金属またはセラミックスなどの他の材料や他の材料の組み合わせもまた採用され得る。図３では、段付きの直径開口部１３６が示されるが、内部側で先細になる開口部も、同等の効果で使用され得る。シリンダ１１０への移動に対向するプランジャ１２０をロックするための装置および技術は「ねじってロックする（ｔｗｉｓｔ  ａｎｄ  ｌｏｃｋ）」配置であり、また他のねじってロックする配置が構想される。装置は、分解し洗浄後に再組み立てするのが容易になるように意図される。再組み立てを支援するために、再組み立てのためのそれらの相対的な配向を示すための印（しるし）が部品に提供されることができる。図示されたハンドル１２４は、その閉ループの内径の周囲及びそのループの外径の周りの少なくとも一部がより柔軟な緩衝ゴムで外部成形された、硬質プラスチック材料から形成されるように意図される。
【図１】
2013506514.tif 000003
【図２】
2013506514.tif 000004
【図３】
2013506514.tif 000005
【手続補正書】
【提出日】平成24年6月6日(2012.6.6)
【手続補正１】
【補正対象書類名】特許請求の範囲
【補正対象項目名】全文
【補正方法】変更
【補正の内容】
【特許請求の範囲】
【請求項１】
バルブにより第１の端部で実質的に閉じられ又は閉鎖可能であり、シリンダに沿って移動可能なプランジャにより第２の端部で閉じられるバキュームシリンダを含み、
前記バルブは、柔軟なノズル及び解放可能なノズルクランプから形成され、
前記ノズルは、前記シリンダとの流体連結での開口部を更に備え、
前記開口部は、使用時に異なるサイズのカニューレを受け入れるために、段差を有する直径又は先細の寸法を有すること
を特徴とする医療用真空吸引装置。
【請求項２】
前記開口部は、最大の直径又はサイズが前記ノズルの外側端部に最も近いような段差又はテーパー状をなすことを特徴とする請求項１記載の装置。
【請求項３】
前記ノズルの外側端部は、縮小された直径というアイデアを含むことを特徴とする請求項２記載の装置。
【請求項４】
前記縮小された直径部分は、その内部面で円形の構造を備えることを特徴とする請求項３記載の装置。
【請求項５】
前記構造は、前記開口部に適合されるカニューレと接触し安定させるために、その内部端で「Ｏ」リングに類似することを特徴とする請求項４記載の装置。
【請求項６】
前記ノズルは、前記段差又はテーパー状をなす開口部に隣接する位置で概ね一定直径の外側領域を有することを特徴とする請求項１乃至５のいずれか１項に記載の装置。
【請求項７】
バルブにより第１の端部で実質的に閉じられ又は閉鎖可能であり、シリンダの軸に沿って移動可能なプランジャにより第２の端部で閉じられるバキュームシリンダを含み、
前記プランジャは、軸部を備え、ロック機構により第２の端部に隣接して位置する場合に前記バルブに向かう移動に対抗して抑制可能であり、
前記ロック機構は、前記第２の端部で縮小されたシリンダサイズの領域と、前記プランジャが第２の端部に隣接位置する場合、前記プランジャ及び前記軸部が前記軸まわりに回転することにより係合をもたらす制限領域で係合可能である、前記プランジャの前記軸部の一部と、を含むこと
を特徴とする医療用真空吸引装置。
【請求項８】
前記縮小されたシリンダサイズは、スロットを備えたシリンダ端側キャップにより形成され、前記軸部は、前記プランジャに隣接する狭くされた部分、及び少なくとも前記狭くされた部分のすぐ隣に位置される拡大された部分を含み、前記軸まわりの前記回転は、狭くされた部分がスロット内で回転することを許可し、前記拡大された部分がスロットで正しく整列されなくなることを許可し、前記プランジャの内側への移動は、前記拡大された部分と前記キャップとの係合を引き起こすことを特徴とする請求項７記載の装置。
【請求項９】
前記キャップは、前記シリンダ内に伸びることを特徴とする請求項８記載の装置。
【請求項１０】
前記スロットは、前記軸部と前記キャップとの間の相対運動の一般的な方向に交わる移動によって、前記スロットから前記軸部が取り除かれることを許可するために１方側で開いていることを特徴とする請求項８又は９記載の装置。
【請求項１１】
前記軸部は、前記狭くされた部分で概ね円形の断面を備え、前記拡大された部分で、前記円形の断面及び円形の断面から伸びる一対のウイングを有することを特徴とする請求項７乃至１０のいずれか１項に記載の装置。
【請求項１２】
請求項１乃至６のいずれか１項の特徴を有する請求項７乃至１１のいずれか１項に記載の装置。
【請求項１３】
前記プランジャの前記軸部の端部で、成型された第１のプラスチック材料及び外部成型され前記第１の材料より軟性である第２のプラスチック材料から形成された閉ループのハンドルをさらに含むことを特徴とする請求項１乃至１２のいずれか１項に記載の装置。
【請求項１４】
前記第２のプラスチック材料は、前記閉ループの内部面の周囲の全体で、及び好ましくは少なくとも外部面の周囲の大部分で配置されることを特徴とする請求項１３記載の装置。
【請求項１５】
前記装置は、個別部品に分解することができ、前記部品は、再組み立ての際に前記部品の相対的な配向を示すためのしるしを含むことを特徴とする請求項１乃至１４のいずれか１項に記載の装置。
【国際調査報告】
2013506514.tif 000006
2013506514.tif 000007
2013506514.tif 000008
2013506514.tif 000009
2013506514.tif 000010
2013506514.tif 000011